(57)【要約】【課題】複数ユーザが１台の光ディスク装置を使用する場合において、ユーザの使い勝手を向上させた光ディスク装置を提供する。【解決手段】アカウントテーブル１１Ａは、ユーザ名で表される複数のアカウントと、光ディスク１００を再生する際に選択するデータストリームを示すアカウント毎の選択情報と、を対応付けて記憶するテーブルである。再生中において、アカウント指定キー１４Ａ〜１４Ｃのいずれかが押下されると、制御部６は、指定されたアカウントに対応する選択情報をアカウントテーブル１１Ａから抽出する。そして、制御部６は、ＰＵヘッド２に読取らせるデータストリームを、Ｓ３において抽出した選択情報のデータストリームに切替える。そのため、各ユーザは自分のアカウントを指定するだけで、所望のデータストリームが再生される。従って、ユーザの使い勝手を向上させる。【選択図】図３
2007311004.tif 000002
【特許請求の範囲】
【請求項１】
装置本体にセットされている光ディスクにピックアップヘッドからレーザ光を照射して、該光ディスクに記録されている複数のデータストリームの中から選択されたデータストリームを読取り、該データストリームを再生する再生手段を備えた光ディスク装置において、
複数のアカウントと、前記再生手段が光ディスクを再生する際に選択するデータストリームを示すアカウント毎の選択情報と、を対応付けて予め記憶するアカウントテーブルと、
前記アカウントテーブルが記憶する前記複数のアカウントの中から１つのアカウントを指定するアカウント指定キーと、前記アカウントと前記選択情報とを指定するアカウント登録キーと、を有する操作手段と、
前記アカウント登録キーによって指定された前記アカウントと前記選択情報とを、対応付けて前記アカウントテーブルに記録する記録手段と、
前記アカウント指定キーによって前記アカウントが指定された際、指定された該アカウントに対応する前記選択情報を前記アカウントテーブルから抽出し、抽出した該選択情報に基づいて、前記再生手段が読取るデータストリームを選択するストリーム選択手段と、
前記アカウント指定キーによって前記アカウントが指定される際、又は、前記アカウント登録キーによって前記アカウントと前記選択情報とが指定される際、前記アカウントテーブルが記憶する前記複数のアカウントと前記選択情報とを表示器に表示する表示手段と、を備える光ディスク装置。
【請求項２】
装置本体にセットされている光ディスクにピックアップヘッドからレーザ光を照射して、該光ディスクに記録されている複数のデータストリームの中から選択されたデータストリームを読取り、該データストリームを再生する再生手段を備えた光ディスク装置において、
複数のアカウントと、前記再生手段が光ディスクを再生する際に選択するデータストリームを示すアカウント毎の選択情報と、を対応付けて予め記憶するアカウントテーブルと、
前記アカウントテーブルが記憶する前記複数のアカウントの中から１つのアカウントを指定するアカウント指定キーを有する操作手段と、
前記アカウント指定キーによって前記アカウントが指定された際、指定された該アカウントに対応する前記選択情報を前記アカウントテーブルから抽出し、抽出した該選択情報に基づいて、前記再生手段が読取るデータストリームを選択するストリーム選択手段と、を備える光ディスク装置。
【請求項３】
前記操作手段は、前記アカウントと前記選択情報とを指定するアカウント登録キーを有し、
前記アカウント登録キーによって指定された前記アカウントと前記選択情報とを、対応付けて前記アカウントテーブルに記録する記録手段を備える請求項２に記載の光ディスク装置。
【請求項４】
前記アカウント指定キーによって前記アカウントが指定される際、又は、前記アカウント登録キーによって前記アカウントと前記選択情報とが指定される際、前記アカウントテーブルが記憶する前記複数のアカウントと前記選択情報とを表示器に表示する表示手段を備える請求項２又は３に記載の光ディスク装置。
【発明の詳細な説明】
【技術分野】
【０００１】
本発明は、光ディスクに記録されている複数のデータストリームの中から選択されたデータストリームを読取る光ディスク装置に関するものである。
【背景技術】
【０００２】
従来、ＣＤ、ＤＶＤ等の光ディスクに記録されている画像や音声を再生する光ディスク装置が実用化され、一般に普及している。
【０００３】
ここで、洋画などが記録されている光ディスクには、英語音声や英語字幕以外に、発売されている地域に合わせて複数の言語の音声や字幕が、オーサリングされていることが多い。また、光ディスクには、複数の角度から撮影した画像を切替える再生（マルチアングル）や、大人用と子供用の画像を選択して再生（パレンタルロック）などが可能なものもある。これら複数の言語（マルチ言語）やマルチアングルやパレンタルロックなどの機能を実現するため、光ディスクには、複数のデータストリームが記録されている。
【０００４】
そして、光ディスク装置は、一般的に、セットアップ画面（初期設定画面）上において、音声言語、又は字幕言語などの設定をユーザに行わせる。光ディスク装置は、セットアップ画面上において設定された設定内容に従って、光ディスクに記録されている複数のデータストリームの中から選択されたデータストリームを再生する。さらに、その設定内容は、同じ設定内容で再生されることが多いので、電源がオフされても装置本体に保持される。
一方、特許文献１に記載の光ディスク装置が提案されている。
【特許文献１】特開２００４−１１２２０７公報
【発明の開示】
【発明が解決しようとする課題】
【０００５】
しかしながら、上記従来の光ディスク装置において、複数ユーザが１台の光ディスク装置を使用する場合、次のような問題が生じる。すなわち、第１のユーザの前回の使用時から今回の使用時までの間に、異なるユーザが第１のユーザの前回の使用時と異なる設定内容で再生した場合、第１のユーザの今回の使用時に設定内容が変更されてしまっているという問題が生じる。そのため、第１のユーザは、光ディスクを再生する都度、上記セットアップ画面上において、同じ設定を何度も繰返さなければならないことが多かった。
従って、上記従来の光ディスク装置では、複数ユーザで１台の光ディスク装置を使用する場合、ユーザの使い勝手が悪いという問題があった。
【０００６】
本発明はこのような従来の課題を解決しようとするものであり、複数ユーザが１台の光ディスク装置を使用する場合において、ユーザの使い勝手を向上させた光ディスク装置を提供することを目的とする。
【課題を解決するための手段】
【０００７】
本発明の光ディスク装置は、前記課題を解決するために以下の構成を備えている。
【０００８】
（１）装置本体にセットされている光ディスクにピックアップヘッドからレーザ光を照射して、該光ディスクに記録されている複数のデータストリームの中から選択されたデータストリームを読取り、該データストリームを再生する再生手段を備えた光ディスク装置において、
複数のアカウントと、前記再生手段が光ディスクを再生する際に選択するデータストリームを示すアカウント毎の選択情報と、を対応付けて予め記憶するアカウントテーブルと、
前記アカウントテーブルが記憶する前記複数のアカウントの中から１つのアカウントを指定するアカウント指定キーを有する操作手段と、
前記アカウント指定キーによって前記アカウントが指定された際、指定された該アカウントに対応する前記選択情報を前記アカウントテーブルから抽出し、抽出した該選択情報に基づいて、前記再生手段が読取るデータストリームを選択するストリーム選択手段と、を備える。
【０００９】
この構成において、データストリームは、画像データのストリーム、音声データのストリーム、又は字幕データのストリームである。マルチ言語やマルチアングルやパレンタルロックなどの機能を実現するため、光ディスクには、複数のデータストリームが記録されている。
まず、アカウント及び選択情報をアカウントテーブルに記録する第１の場面と、アカウントテーブルに記録されているアカウント及び選択情報を利用する第２の場面と、に分けて説明する。
この構成では、第２の場面を想定している。各ユーザは、例えば光ディスクの再生に先立って、自分のアカウントをアカウント指定キーによって指定する。すると、ストリーム選択手段は、指定された該アカウントに対応する選択情報をアカウントテーブルから抽出し、データストリームを選択する。そのため、再生時、アカウントを指定したユーザの所望のデータストリームが、再生手段によって再生される。
このように、各ユーザは自分のアカウントを指定するだけで、所望のデータストリームが再生される。そのため、複数ユーザが１台の光ディスク装置を使用する場合であっても、各ユーザは、光ディスクを再生する都度、セットアップ画面上において同じ設定を何度も繰返さなくとも済む。従って、ユーザの使い勝手を向上させる。
【００１０】
（２）前記操作手段は、前記アカウントと前記選択情報とを指定するアカウント登録キーを有し、
前記アカウント登録キーによって指定された前記アカウントと前記選択情報とを、対応付けて前記アカウントテーブルに記録する記録手段を備える。
【００１１】
この構成では、第１の場面を想定している。第１の場面では、ユーザはアカウント毎の選択情報を設定する。上記記録手段によってアカウント及び選択情報が記録された上記のアカウントテーブルは、上記（１）の第２の場面において使用される。
この構成においては、各ユーザは、アカウント及び選択情報をアカウント登録キーによって指定することで、音声言語、又は字幕言語などの登録を行う。つまり、各ユーザは、所望の選択情報をアカウントテーブルに登録することができる。
そして、各ユーザが第２の場面において自分のアカウントを指定することにより、アカウントを指定したユーザの所望のデータストリームが、再生手段によって再生される。
以上より、ユーザの使い勝手を一層向上させる。
【００１２】
（３）前記アカウント指定キーによって前記アカウントが指定される際、又は、前記アカウント登録キーによって前記アカウントと前記選択情報とが指定される際、前記アカウントテーブルが記憶する前記複数のアカウントと前記選択情報とを表示器に表示する表示手段を備える。
【００１３】
この構成において、表示手段は、確認画面を表示器に表示している。
これにより、ユーザは、前記アカウント指定キーによって前記アカウントが指定される際、又は、前記アカウント登録キーによって前記アカウントと前記選択情報とが指定される際、確認画面を見ながら操作できる。
以上より、ユーザの使い勝手を一層向上させる。
【発明の効果】
【００１４】
この発明によれば、ユーザの使い勝手を向上させる。
【発明を実施するための最良の形態】
【００１５】
以下、本発明の実施形態である光ディスク装置について説明する。
【００１６】
図１は、本発明の実施形態である光ディスク装置の主要な構成を示すブロック図である。光ディスク装置１は、所謂ＤＶＤプレーヤであり、装置本体１を制御する制御部６と、光ディスク１００に対しデータの記録や読取を行うピックアップヘッド２（以下、PUヘッド２と称する。）と、RFアンプなどの記録再生部３と、再生キーまたは録画キー等の複数のキーが設けられている操作部１０と、装置本体１を遠隔操作するリモコン１２と、を備えている。さらに、光ディスク装置１は、情報を表示する表示部９と、データを記憶する記憶部１１と、音声データをアナログの再生音声信号に変換する音声処理部５と、画像データをアナログの再生画像信号に変換する画像処理部４と、字幕データを処理する字幕処理部７と、OSD画像を生成するOSD処理部８と、合成映像を生成する画像合成部１３と、を備えている。
【００１７】
光ディスク１００は、例えばＣＤ、又はＤＶＤである。
【００１８】
PUヘッド２は、図示しないレーザダイオード（ＬＤ）、コリメータレンズ、ビームスプリッタ、対物レンズ、フォトディテクタ、スレッドモータ、及びアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、アクチュエータは、対物レンズを光ディスク１００に接離する方向、及び光ディスク１００の半径方向に移動させる。
【００１９】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２０】
記録再生部３は、ＰＵヘッド２における複数の受光素子の出力に基づいてＲＦ信号を生成し、該ＲＦ信号を増幅する。そして、記録再生部３は、該ＲＦ信号を処理して画像と音声のデータを取り出す。ここで、取り出される画像と音声のデータは、例えばMPEGでエンコードされている。そして、記録再生部３は、音声データを音声処理部５に、画像データを画像処理部４に、字幕データを字幕処理部７に、これらのデータの同期を取りながら、それぞれ出力する。
【００２１】
音声処理部５は、音声データをデコードして、アナログの再生音声信号に変換し、その再生音声信号を外部のテレビジョン１０１に出力する。
なお、テレビジョン１０１がディジタル対応であれば、ディジタルで出力しても構わない。
【００２２】
字幕処理部７は、記録再生部３から出力された字幕データをデコードして画像合成部１３へ出力する。
【００２３】
画像処理部４は、記録再生部３から出力された画像データをデコードして画像合成部１３へ出力する。
【００２４】
OSD処理部８は、不図示のOSD画像メモリを内蔵する。OSD処理部８は、制御部６から与えられる制御信号に基づいて、OSD画像メモリ（不図示）が記憶しているデータに基づいて文字又は図形を生成し、画像合成部１３へ出力する。
【００２５】
画像合成部１３は、画像処理部４から出力された画像データに基づく画像に、字幕処理部７から出力された字幕データに基づく字幕を、または、OSD処理部８から出力されたＯＳＤ画像を合成した合成映像を生成する。そして、画像合成部１３は、この合成映像の信号をアナログの再生画像信号に変換し、外部のテレビジョン１０１に出力する。
なお、テレビジョン１０１がディジタル対応であれば、ディジタルで出力しても構わない。
【００２６】
音声処理部５及び画像合成部１３には、テレビジョン１０１が接続される。ユーザは、このテレビジョン１０１において、音声処理部５及び画像合成部１３から出力された画像信号に基づく画像、及び音声信号に基づく音声を視聴することができる。
【００２７】
操作部１０は、ユーザが光ディスク装置１に対して各種の命令（コマンド）を入力するためのものであり、再生キーを含む複数のキーが設けられている。光ディスク装置１に対してユーザが入力したコマンドは制御部６に伝送される。
操作部１０には、リモコン信号検出部（不図示）が設けられている。リモコン信号検出部に対し、装置本体の外部からリモコン１２を用いて、電源のON／OFF、チャンネルの切替え、音量の調整等の命令が入力されると、リモコン信号検出部は、リモコン１２からの命令信号を受信して制御部６に伝送する。
【００２８】
記憶部１１は、例えばハードディスクやＥＥＰＲＯＭで構成されており、装置本体１の主制御プログラムを記憶する。
【００２９】
表示部９は、時刻、光ディスク装置１の設定状態などを表示する。
【００３０】
制御部６は、例えばマイクロコンピュータで構成されており、光ディスク装置１にユーザから入力された命令に応じて光ディスク装置１の各部を制御する。制御部６は、上記の主制御プログラムなどを展開するワークフィールドとしてのＲＡＭを内蔵する。
【００３１】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００３２】
ここで、ＰＵヘッド２、記録再生部３、音声処理部５、画像処理部４、字幕処理部７、画像合成部１３、及び制御部６が、本発明の「再生手段」に相当する。また、制御部６が、本発明の「ストリーム選択手段」に相当する。ＰＵヘッド２、記録再生部３、及び制御部６が、本発明の「記録手段」に相当する。操作部１０、リモコン１２が、本発明の「操作手段」に相当する。制御部６が、本発明の「表示手段」に相当する。表示部９及びテレビジョン１０１が、本発明の「表示器」に相当する。
【００３３】
図２は、ＤＶＤ−Ｖideoフォーマットで記録された光ディスク上のデータのデータ構造を示す図である。ＤＶＤ−Ｖideoフォーマットで記録された光ディスク１００上には、図２（Ａ）に示すように、その内周から外周にかけてVＭGI、VＭGＭ_VOBS、タイトル１〜３が記録されている。
【００３４】
VＭGI(Video  Ｍanager  InforＭation)には、ＤＶＤ−Ｖideo全体の再生関連情報（制御情報）、いわゆるルートメニューの情報が記述されている。
VＭGＭ_VOBS(Video  Object  Set  for  VＭG  Ｍenu)には、タイトルメニューで使用するコンテンツが記述されている。ＶＴＳＩのアドレス情報等を含むＤＶＤ−Ｖideo全体の再生関連情報（制御情報）が記述される場合もある。
VＭGIbupは、VＭGIのバックアップファイルである。
【００３５】
また、タイトルは、ＶＴＳＩ（Ｖideo  Ｔitle  Ｓet  ＩnforＭation）とＶＯＢＳ（Ｖideo  Ｏbject  Ｓet）とＶＴＳＩbupとから構成されている（図２（Ａ）参照）。
【００３６】
ＶＴＳＩは、そのＶＴＳに対する制御情報が記述されている。制御情報には、チャプタ情報も含まれる。
ＶＯＢＳは、タイトル再生のためのコンテンツが記述されており、図２（Ｂ）に示すように、複数のセルから構成されている。図２（Ｂ）の＃ｎは、セルの番号である。
なお、ＶＯＢＳとＶＴＳとは、同じものを表す。
ＶＴＳＩbupは、ＶＴＳＩのバックアップファイルが記述されている。
ここで、ＶＴＳＩ、ＶＯＢＳ、及びＶＴＳＩbupの＃１〜３は、タイトルの番号に対応している。
【００３７】
ＤＶＤ−Ｖideoフォーマットにおいて、データは、予め決められたセル単位で記録される。
セルは、複数のＶＯＢＵ（Ｖideo  Ｏbject  Ｕnit）で構成される（図２（Ｃ）参照）。図２（Ｃ）の＃ｍは、ＶＯＢＵの番号である。１タイトルのセルの最大数は２５５セルである。
ＶＯＢＵは、先頭にＮＶ＿ＰＣＫ（Ｎavigatyion  Ｐack）が置かれ、続いて画像データや音声データや字幕データなどがパック化されて挿入される（図２（Ｄ）参照）。このＶＯＢＵには、マルチ言語やマルチアングルやパレンタルロックなどの機能を実現するため、複数のデータストリームが記録されている。
そして、制御部６は、複数のデータストリームの中から選択されたデータストリームをＰＵヘッド２に読取らせ、該データストリームを再生する。
【００３８】
なお、この実施形態では、ＤＶＤ−Ｖideoフォーマットを紹介しているが、これに限定する趣旨でなく、実施の際はVRフォーマットでも構わない。
【００３９】
次に、本発明の実施形態に係る光ディスク装置１の特有の機能を、アカウント及び選択情報をアカウントテーブルに記録する第１の場面と、アカウントテーブルに記録されているアカウント及び選択情報を利用する第２の場面と、に分けて説明する。
【００４０】
まず、第１の場面について説明する。第１の場面では、ユーザはアカウント毎の選択情報を設定する。
図３は、記憶部１１に記憶されている内容を示す図である。記憶部１１は、上述の主制御プログラムの他、アカウントテーブル１１Ａを記憶する。アカウントテーブル１１Ａは、ユーザ名で表される複数のアカウントと、光ディスク１００を再生する際に選択するデータストリームを示すアカウント毎の選択情報と、を対応付けて記憶するテーブルである。
なお、この実施形態では、データストリームを代表して、音声データのストリーム、及び字幕データのストリームについて説明する。
【００４１】
図４は、図１で示したリモコン１２の外観図である。リモコン１２は、アカウント指定キー１４Ａ〜１４Ｃと、アカウント登録キー１５Ａ〜１５Ｃ、１６Ａ〜１６Ｄ、１７と、命令信号を送信する赤外LED１８と、を備える。
【００４２】
アカウント指定キー１４Ａ〜１４Ｃは、アカウントテーブル１１Ａが記憶する前記アカウントの中から１つのアカウントを指定するキーである（図３参照）。アカウント指定キー１４Ａ〜１４Ｃは、再生時においてアカウントを指定するキーである。ここで、アカウント指定キー１４Ａ〜１４Ｃは、それぞれ、図３のユーザＡ〜Ｃに対応している。
【００４３】
一方、アカウント登録キー１５Ａ〜１５Ｃ、１６Ａ〜１６Ｄ、１７は、アカウントと選択情報とを指定するキーである。詳述すると、アカウント登録キー１５Ａ〜１５Ｃは、アカウントを指定するキーである。アカウント登録キー１５Ａ〜１５Ｃは、それぞれ、図３のユーザＡ〜Ｃに対応している。また、アカウント登録キー１６Ａ及び１６Ｂは、現在選択されている選択情報を別の選択情報に切替えるために指定するキーである。また、アカウント登録キー１６Ｃは、現在選択されている選択情報を確定するために指定するキーである。また、アカウント登録キー１６Ｄは、選択情報の項目を別の項目に切替えるために指定するキーである。また、アカウント登録キー１７は、後述の図５に示すようなメニュー画面をＯＳＤ表示／消去するために指定するキーである。
【００４４】
図５は、アカウント登録キーによってアカウント及び選択情報を指定する際においてテレビジョン１０１に表示されるメニュー画面を示す図である。
【００４５】
ユーザは、アカウント登録キー１５Ａ〜１５Ｃ、１６Ａ〜１６Ｄ、１７を操作することによって、音声言語（音声ストリーム）や字幕言語（字幕ストリーム）を登録することができる。つまり、ユーザは、所望の選択情報をアカウントテーブル１１Ａに登録することができる。
【００４６】
詳述すると、アカウント登録キー１７が押下されると、光ディスク装置１は、図５に示すようなメニュー画面をＯＳＤ表示する。図５では、テレビジョン１０１の画面の左上に、登録を行うアカウントが表示されている。また、テレビジョン１０１の画面の中央部に、現在選択されている字幕言語を表示するための表示部２７が表示されている。また、表示部２７の左横に左矢印キーを表すマーク２６Ａが、表示部２７の右横に右矢印キーを表すマーク２６Ｂが、表示部２７の上側に上矢印キーを表すマーク２６Ｃが、表示部２７の下側に下矢印キーを表すマーク２６Ｄが、それぞれ表示されている。ここで、アカウント登録キー１６Ａは、マーク２６Ａに対応し、アカウント登録キー１６Ｂは、マーク２６Ｂに対応する。また、アカウント登録キー１６Ｃは、マーク２６Ｃに対応し、アカウント登録キー１６Ｄは、マーク２６Ｄに対応する。
【００４７】
図５のメニュー画面がＯＳＤ表示されている状態において、アカウント登録キー１５Ａ〜１５Ｃが押下されると、押下されたキーに対応するアカウントに切替わる。
また、図５のメニュー画面がＯＳＤ表示されている状態において、アカウント登録キー１６Ａが押下される毎に、現在選択されている字幕言語が降順にサイクリックに切替えられる。また、図５のメニュー画面がＯＳＤ表示されている状態において、アカウント登録キー１６Ｂが押下される毎に、現在選択されている字幕言語が昇順にサイクリックに切替えられる。
【００４８】
また、図５のメニュー画面がＯＳＤ表示されている状態において、アカウント登録キー１６Ｃが押下されると、現在選択されている字幕言語が確定される。また、図５のメニュー画面がＯＳＤ表示されている状態において、アカウント登録キー１６Ｄが押下されると、表示部２７において表示される選択情報の項目（字幕言語）が、別の項目（音声言語）に切替わる。ここで、音声言語も字幕言語と同様に、アカウント登録キー１６Ａ、１６Ｂによって現在選択されている音声言語が切替えられ、アカウント登録キー１６Ｃによって指定される。
【００４９】
以上のように、アカウント登録キー１５Ａ〜１５Ｃ、１６Ａ〜１６Ｄ、１７によってアカウントと選択情報とが指定されると、制御部６は、確定されたアカウントと選択情報とを、対応付けてアカウントテーブル１１Ａに記録する。すると、アカウントテーブル１１Ａには、アカウントと、選択情報と、がアカウント毎に対応付けて記憶される（図３参照）。
【００５０】
なお、図３に示すように、ユーザＣに対応する選択情報には、前回の状態が登録されている。この前回の状態とは、ユーザＣにおいて前回の再生時に再生された音声言語及び字幕言語である。例えば、再生中にアカウント登録キー１５Ｃが押下された場合、その再生時の音声言語及び字幕言語がアカウントテーブル１１Ａに登録される。
【００５１】
そして、各ユーザが第２の場面（後述の図６参照）において自分のアカウントを指定することにより、アカウントを指定したユーザの所望のデータストリームが、再生される。従って、ユーザの使い勝手を一層向上させる。
【００５２】
次に、第２の場面について説明する。第２の場面では、ユーザは再生時において自分のアカウントを指定する。
図６は、本発明の実施形態である光ディスク装置において再生キーが押下された時に制御部が行う動作を示すフローチャートである。
ユーザが再生キーを押下すると、制御部６は、再生動作を開始する（Ｓ１）。
【００５３】
次に、制御部６は、アカウント指定キー１４Ａ〜１４Ｃのいずれかが押下されたか否かを判断する（Ｓ２）。アカウント指定キー１４Ａ〜１４Ｃのいずれかが押下されていないと判断すると、制御部６は、Ｓ５に進み処理を継続する。
【００５４】
アカウント指定キー１４Ａ〜１４Ｃのいずれかが押下されたと判断すると、制御部６は、指定されたアカウントに対応する選択情報をアカウントテーブル１１Ａから抽出する（Ｓ３）。例えば、アカウント指定キー１４Ｂが押下されると、制御部６は、ユーザＢに対応する選択情報（日本語、字幕無し）をアカウントテーブル１１Ａから抽出する（図３参照）。また、アカウント指定キー１４Ｃが押下されると、制御部６は、ユーザＣに対応する選択情報（前回の再生時に再生された音声言語及び字幕言語）をアカウントテーブル１１Ａから抽出する（図３参照）。
【００５５】
そして、制御部６は、ＰＵヘッド２に読取らせるデータストリームを、Ｓ３において抽出した選択情報のデータストリームに切替える（Ｓ４）。詳述すると、制御部６は、Ｓ３において抽出した選択情報に基づいて、ＰＵヘッド２に読取らせるデータストリームを選択し、そのデータストリームの再生動作を開始する。例えば、アカウント指定キー１４Ｂが押下されると、制御部６は、データストリーム（日本語、字幕無し）の再生動作を開始する（図３参照）。また、アカウント指定キー１４Ｃが押下されると、制御部６は、前回の再生時に再生された音声データストリーム及び字幕データストリームの再生動作を開始する（図３参照）。
【００５６】
以上のように、各ユーザは自分のアカウントを指定するだけで、所望のデータストリームが再生される。そのため、複数ユーザが１台の光ディスク装置１を使用する場合であっても、ユーザは、光ディスク１００を再生する都度、セットアップ画面上において同じ設定を何度も繰返さなくとも済む。従って、ユーザの使い勝手を向上させる。
【００５７】
そして、再生がストリームの終端に到達すれば（Ｓ５）、制御部６は、再生動作を終了し（Ｓ６）、本処理を終了する。
【００５８】
また、本発明の実施形態は、以下の変形例を採用することができる。
【００５９】
（第１変形例）
アカウント指定キー１４Ａ〜１４Ｃによってアカウントが指定される際、又は、アカウント登録キー１５Ａ〜１５Ｃ、１６Ａ〜１６Ｄ、１７によってアカウントと選択情報とが指定される際、アカウントテーブル１１Ａが記憶する複数のアカウントと選択情報とを、確認画面としてテレビジョン１０１にＯＳＤ表示することもできる（図１、図３、及び図５参照）。
【００６０】
これにより、ユーザは、アカウント指定キー１４Ａ〜１４Ｃによってアカウントが指定される際、又は、アカウント登録キー１５Ａ〜１５Ｃ、１６Ａ〜１６Ｄ、１７によってアカウントと選択情報とが指定される際、確認画面を見ながら操作できる。従って、ユーザの使い勝手を一層向上させる。
【図面の簡単な説明】
【００６１】
【図１】本発明の実施形態である光ディスク装置の主要な構成を示すブロック図
【図２】ＤＶＤ−Ｖideoフォーマットで記録された光ディスク上のデータのデータ構造を示す図
【図３】記憶部１１に記憶されている内容を示す図
【図４】図１で示したリモコン１２の外観図
【図５】アカウント登録キーによってアカウント及び選択情報を指定する際においてテレビジョン１０１に表示されるメニュー画面を示す図
【図６】本発明の実施形態である光ディスク装置において再生キーが押下された時に制御部が行う動作を示すフローチャート
【符号の説明】
【００６２】
１−光ディスク装置
２−ＰＵヘッド
３−記録再生部
４−画像処理部
５−音声処理部
６−制御部
７−字幕処理部
８−ＯＳＤ処理部
９−表示部
１０−操作部
１１−記憶部
１１Ａ−アカウントテーブル
１２−リモコン
１３−画像合成部
１４Ａ〜１４Ｃ−アカウント指定キー
１５Ａ〜１５Ｃ−アカウント登録キー
１６Ａ〜１６Ｄ−アカウント登録キー
１７−アカウント登録キー
１８−赤外LED
２７−表示部
１００−光ディスク
１０１−テレビジョン
【図１】
2007311004.tif 000003
【図２】
2007311004.tif 000004
【図３】
2007311004.tif 000005
【図４】
2007311004.tif 000006
【図５】
2007311004.tif 000007
【図６】
2007311004.tif 000008